(57)【要約】  発電スイッチは、少なくとも一部がＺ軸方向に向かって回動するアーム部と、アーム部の回動によって電力を発生する発電装置と、を備える。発電装置は、アーム部の回動によってＺ軸方向に移動し、Ｘ軸方向に延びる磁石を有する磁石保持部と、磁石よりもＹ軸マイナス方向に位置するホルダ部と、磁石に吸引される状態と吸引される状態から開放される状態とをとる自由端部と、ホルダ部に固定される固定端部とを有し、自由端部が自由振動することで電力を発生させる板状の発電部と、を備える。そして、磁石保持部は、アーム部に回動可能に保持されている。
2019064839.tif 000002
【特許請求の範囲】
【請求項１】
少なくとも一部が第１の方向へ移動する移動部と、
前記移動部の移動によって電力を発生する発電装置と、
を備え、
前記発電装置は、
前記移動部の移動によって前記第１の方向に移動し、前記第１の方向に直交する第２の方向に延びる磁石を有する吸引部と、
前記磁石よりも前記第２の方向に直交する第３の方向に位置するホルダ部と、
前記磁石に吸引される状態と前記吸引される状態から開放される状態とをとる自由端部と、前記ホルダ部に固定される固定部とを含み、前記自由端部が自由振動することで電力を発生させる板状の発電部と、を有し、
前記吸引部は、前記移動部に回動可能に保持されている、
発電スイッチ。
【請求項２】
前記吸引部の回動軸の方向は、前記第３の方向と平行な方向である、
請求項１に記載の発電スイッチ。
【請求項３】
前記移動部は、前記第２の方向に延びる第１の主面部を有し、
前記吸引部は、前記第１の主面部と対向して配置され、前記第２の方向に延びる第２の主面部を有し、
前記吸引部は、少なくとも一部が前記第２の主面部から前記第１の主面部に向けて突出し、かつ前記回動軸の方向に延びる第１の軸部を有し、
前記移動部は、前記第１の軸部が挿入される挿入部を有する、
請求項２に記載の発電スイッチ。
【請求項４】
前記移動部は、前記第２の方向に延びる第１の主面部を有し、
前記吸引部は、前記第１の主面部と対向して配置され、前記第２の方向に延びる第２の主面部を有し、
前記移動部は、少なくとも一部が前記第１の主面部から前記第２の主面部に向けて突出し、かつ前記回動軸の方向に延びる第１の軸部を有し、
前記吸引部は、前記第１の軸部が挿入される挿入部を有する、
請求項２に記載の発電スイッチ。
【請求項５】
前記挿入部は、前記挿入部内で前記第１の軸部を前記第１の方向に移動可能に形成されている、
請求項３又は４に記載の発電スイッチ。
【請求項６】
前記第１の軸部は、前記第２の方向から見たときに、前記挿入部側の端部が切り欠かれた切欠部を有する、
請求項３〜５のいずれか１項に記載の発電スイッチ。
【請求項７】
前記移動部は、第２の軸部に軸支される第１の端部と、回動することで前記第１の方向に移動する第２の端部とを有する、
請求項１〜６のいずれか１項に記載の発電スイッチ。
【請求項８】
前記発電部は、２つの圧電素子と金属板とを備え、
前記２つの圧電素子は、前記金属板を挟むように配置されている、
請求項１〜７のいずれか１項に記載の発電スイッチ。
【発明の詳細な説明】
【技術分野】
【０００１】
本開示は、発電スイッチに関する。
【背景技術】
【０００２】
従来、電気機器を遠隔操作することができるスイッチなどの信号発生装置において、信号発生装置内部にアクチュエータ（発電部）を含む発電装置を設け、信号発生装置の利便性を向上させることが提案されている（例えば、特許文献１）。【０００３】
特許文献１に記載の信号発生装置（発電スイッチ）は、圧電素子を有する片持ち梁構造のアクチュエータ（発電部）と、断面視形状がＬ字型のスイッチ（アーム部）とを備える。スイッチが押されスイッチとアクチュエータの自由端とが接することでアクチュエータが屈曲し、スイッチがアクチュエータから離れることで、アクチュエータは自由振動を開始し、圧電効果により電圧が発生する。これにより、電池を必要としない信号発生装置が実現される。
【先行技術文献】
【特許文献】
【０００４】
【特許文献１】特開２００４−２０１３７６号公報
【発明の概要】
【０００５】
本開示の一態様に係る発電スイッチは、少なくとも一部が第１の方向へ移動する移動部と、前記移動部の移動によって電力を発生する発電装置と、を備え、前記発電装置は、前記移動部の移動によって前記第１の方向に移動し、前記第１の方向に直交する第２の方向に延びる磁石を有する吸引部と、前記磁石よりも前記第２の方向に直交する第３の方向に位置するホルダ部と、前記磁石に吸引される状態と前記吸引される状態から開放される状態とをとる自由端部と、前記ホルダ部に固定される固定部とを含み、前記自由端部が自由振動することで電力を発生させる板状の発電部と、を有し、前記吸引部は、前記移動部に回動可能に保持されている。
【図面の簡単な説明】
【０００６】
【図１】図１は、実施の形態に係る発電スイッチのボタン部側の外観を示す斜視図である。
【図２】図２は、実施の形態に係る発電スイッチのケース部側の外観を示す斜視図である。
【図３】図３は、図１からボタン部及びケース部を省略した状態での、実施の形態に係る発電スイッチの構成を示す斜視図である。
【図４】図４は、図１からボタン部及びケース部を省略した状態での、実施の形態に係る発電スイッチの構成を示す分解斜視図である。
【図５】図５は、実施の形態に係る発電装置の構成を示す分解斜視図である。
【図６】図６は、図５のＶＩ−ＶＩ線における、実施の形態に係る発電部の部分断面図である。
【図７】図７は、実施の形態に係る振動発生部の構成を示す分解斜視図である。
【図８】図８は、実施の形態に係るアーム部の構成を示す斜視図である。
【図９】図９は、実施の形態に係る磁石保持部の構成を示す図である。
【図１０】図１０は、図４のＸ−Ｘ線における、実施の形態に係る振動発生部の部分断面図である。
【図１１】図１１は、図４のＸＩ−ＸＩ線における、実施の形態に係る振動発生部の部分断面図である。
【図１２】図１２は、実施の形態に係るボタン部が操作される前後での振動発生部及び発電部の状態を示す概略図である。
【図１３】図１３は、実施の形態に係るボタン部が操作される前後での振動発生部の状態の他の例を示す概略図である。
【発明を実施するための形態】
【０００７】
上述した特許文献１では、スイッチを押すときのスイッチの幅方向（言い換えると、断面に対する奥行き方向）の位置によっては、スイッチが略均等に押し下げられないことがある。例えば、スイッチの幅方向の一端部を押した場合、一端部は他端部より深く押し下げられることがある。この場合、スイッチはアクチュエータを均等に屈曲させることが難しくなり、発電効率が低下する。つまり、スイッチを略均等に押し下げるための、スイッチの幅方向におけるスイッチを押す位置が限られており、操作性が低いという問題がある。特に、持ち運び可能な発電スイッチなど、向きが固定されていない発電スイッチである場合に操作性が低い。
【０００８】
そこで、本開示は、操作性が向上された発電スイッチを提供することを目的とする。
【０００９】
（本開示の概要）
上記目的を達成するために、本開示の一態様に係る発電スイッチは、少なくとも一部が第１の方向へ移動する移動部と、前記移動部の移動によって電力を発生する発電装置と、を備え、前記発電装置は、前記移動部の移動によって前記第１の方向に移動し、前記第１の方向に直交する第２の方向に延びる磁石を有する吸引部と、前記磁石よりも前記第２の方向に直交する第３の方向に位置するホルダ部と、前記磁石に吸引される状態と前記吸引される状態から開放される状態とをとる自由端部と、前記ホルダ部に固定される固定部とを含み、前記自由端部が自由振動することで電力を発生させる板状の発電部と、を有し、前記吸引部は、前記移動部に回動可能に保持されている。
【００１０】
これにより、移動部は、発電スイッチが押下されることで第１の方向に移動する。例えば、移動部に加えられた圧力に偏りがある場合、移動部は傾いた状態で第１の方向に移動する。一方、吸引部は、移動部に対して回動可能に保持されているので、移動部の傾きによって生じる吸引部の傾きを緩和することができる。つまり、移動部が傾いたときでも、発電部と磁石との吸着（つまり、接触する面積）を確保することができる。よって、発電スイッチは安定した発電が可能となり、操作性が向上する。
【００１１】
また、前記吸引部の回動軸の方向は、前記第３の方向と平行な方向であってもよい。
【００１２】
これにより、吸引部は、移動部が傾いたときに第３の方向と平行な方向を回動軸として移動部に対して回動することができる。つまり、吸引部は、発電部が第３の方向と平行な方向を軸として傾くことを抑制することができる。よって、さらに発電スイッチは安定した発電が可能となる。
【００１３】
また、前記移動部は、前記第２の方向に延びる第１の主面部を有し、前記吸引部は、前記第１の主面部と対向して配置され、前記第２の方向に延びる第２の主面部を有し、前記吸引部は、少なくとも一部が前記第２の主面部から前記第１の主面部に向けて突出し、かつ前記回動軸の方向に延びる第１の軸部を有し、前記移動部は、前記第１の軸部が挿入される挿入部を有してもよい。
【００１４】
これにより、第１の軸部を回動軸とすることで、吸引部を容易に回動させることができる。よって、さらに発電スイッチの操作性が向上する。
【００１５】
また、前記移動部は、前記第２の方向に延びる第１の主面部を有し、前記吸引部は、前記第１の主面部と対向して配置され、前記第２の方向に延びる第２の主面部を有し、前記移動部は、少なくとも一部が前記第１の主面部から前記第２の主面部に向けて突出し、かつ前記回動軸の方向に延びる第１の軸部を有し、前記吸引部は、前記第１の軸部が挿入される挿入部を有してもよい。
【００１６】
これにより、第１の軸部を回動軸とすることで、吸引部を容易に回動させることができる。よって、さらに発電スイッチの操作性が向上する。
【００１７】
また、前記挿入部は、前記挿入部内で前記第１の軸部を前記第１の方向に移動可能に形成されてもよい。
【００１８】
これにより、挿入部と第１の軸部との接触部分を少なくすることができるので、第１の軸部が移動部に対して移動するときに第１の軸部に加わる摩擦による抵抗力を抑制することができる。つまり、第１の軸部の損傷を抑制でき、かつ第１の軸部が移動部の傾きに追従することを抑制することができる。よって、さらに発電スイッチの操作性が向上する。
【００１９】
また、前記第１の軸部は、前記第２の方向から見たときに、前記挿入部側の端部が切り欠かれた切欠部を有してもよい。
【００２０】
これにより、第１の軸部を挿入部に挿入する際に挿入しやすくなるので、第１の軸部を挿入部に挿入するときの作業性が向上する。
【００２１】
また、前記移動部は、第２の軸部に軸支される第１の端部と、回動することで前記第１の方向に移動する第２の端部とを有してもよい。
【００２２】
これにより、発電スイッチは、移動部が回動することで発電部を撓ませ発電させる発電スイッチにも適用可能である。
【００２３】
また、前記発電部は、２つの圧電素子と金属板とを備え、前記２つの圧電素子は、前記金属板を挟むように配置されてもよい。
【００２４】
これにより、発電部が自由振動することで発電する電力を圧電素子が１つである場合より高くすることができる。
【００２５】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。また、各図は、模式図であり、必ずしも厳密に図示されたものではない。
【００２６】
また、以下の実施の形態で説明に用いられる図面においては座標軸が示される場合がある。Ｚ軸のマイナス側が設置面側、Ｚ軸のプラス側が操作面側を表している。また、Ｘ軸方向及びＹ軸方向は、Ｚ軸方向に垂直な平面上において、互いに直交する方向である。Ｘ−Ｙ平面は、発電スイッチが備える天板に平行な平面である。例えば、以下の実施の形態において、「平面視」とは、Ｚ軸方向から見ることを意味する。
【００２７】
また、「略＊＊」との記載は実質的に＊＊と認められるものを含む意図であり、例えば「略矩形状」を例に挙げて説明すると、完全な矩形はもとより、実質的に矩形と認められるものを含む意図である。
【００２８】
（実施の形態）
以下、本実施の形態に係る発電スイッチ１０について、図１〜図１３を参照しながら説明する。
【００２９】
［１．発電スイッチの全体構成］
まずは、本実施の形態に係る発電スイッチ１０の構成について、図１〜図９を参照しながら説明する。
【００３０】
図１は、本実施の形態に係る発電スイッチ１０のボタン部１１側の外観を示す斜視図である。図２は、本実施の形態に係る発電スイッチ１０のケース部１２側の外観を示す斜視図である。
【００３１】
本実施の形態に係る発電スイッチ１０は、ボタン部１１が操作されることで発電が行われ、当該発電で発生した電力を用いて所定の信号を無線で送信するスイッチである。つまり、本実施の形態に係る発電スイッチ１０は、電池などを備えておらず、発電スイッチ１０が操作されるたびに発電を行うことで所定の信号を送信する。なお、ボタン部１１が操作されるとは、例えば、ユーザによりボタン部１１が押下されることである。
【００３２】
所定の信号とは、一例として、発電スイッチ１０ごとに割り当てられる固有の識別情報を示す信号である。発電スイッチ１０は、家屋などに設置されている各種電気機器を制御する制御装置に所定の信号を送信する。各種電気機器とは、（例えば、照明装置、映像表示装置、電動カーテンである。例えば、制御装置において、発電スイッチ１０の識別情報と、照明装置をオンする制御とが対応付けられている場合、制御装置は発電スイッチ１０からの信号を受信すると、照明装置をオンする制御を行う。
【００３３】
また、本実施の形態に係る発電スイッチ１０は、ユーザにより持ち運びが可能なスイッチである。例えば、ユーザは机で作業しているときには机の上に発電スイッチ１０を置き、寝るときには布団の横に発電スイッチ１０を置くことができる。
【００３４】
図１及び図２に示すように、発電スイッチ１０は、ボタン部１１及びケース部１２を備える。ボタン部１１及びケース部１２は、発電スイッチ１０の外郭をなす。
【００３５】
次に、ボタン部１１及びケース部１２に収容される各構成要素について図３〜図９を参照しながら説明する。
【００３６】
図３は、図１からボタン部１１及びケース部１２を省略した状態での、本実施の形態に係る発電スイッチ１０の構成を示す斜視図である。図４は、図１からボタン部１１及びケース部１２を省略した状態での、本実施の形態に係る発電スイッチ１０の構成を示す分解斜視図である。
【００３７】
図３及び図４に示すように、本実施の形態に係る発電スイッチ１０は、ボタン部１１及びケース部１２を省略した状態において、発電装置１００、アーム部４０、レバー部７０、カバー部８０、及び、ボタン下部９０から構成される。発電装置１００は、アーム部４０の回動によって電力を発生する装置であり、発電ユニット２０、磁石保持部５０及び磁石６０から構成される。また、以降において、発電装置１００のうち磁石保持部５０及び磁石６０をアーム部４０に取り付けたものを振動発生部３０と記載する。
【００３８】
以下では、発電スイッチ１０を構成する各構成要素について、適宜図面を参照しながら説明する。なお、本開示は、振動発生部３０の構成に特徴を有する。
【００３９】
［１−１．ボタン部及びケース部］
ボタン部１１及びケース部１２について、図１及び図２を参照しながら説明する。
【００４０】
ボタン部１１及びケース部１２は、発電スイッチ１０の外郭をなす筐体である。図１及び図２に示すように、ボタン部１１及びケース部１２はそれぞれ、有底形状を有し、ボタン部１１は上面部１１ａ及び上面部１１ａの外縁部からケース部１２側に立設する側面部１１ｂから構成され、ケース部１２は底面部１２ａ及び底面部１２ａの外縁部からボタン部１１側へ立設する側面部１２ｂから構成される。平面視において、ボタン部１１及びケース部１２は、４隅がＲ形状である略矩形状に形成されている。例えば、ボタン部１１及びケース部１２は、平面視において４隅がＲ形状である略正方形状に形成されている。
【００４１】
また、平面視において、ボタン部１１の大きさは、ケース部１２の大きさより大きい。つまり、ボタン部１１は、上面部１１ａが底面部１２ａに対向しており、かつボタン部１１の側面部１１ｂがケース部１２の側面部１２ｂの一部を覆うように配置される。そして、ボタン部１１及びケース部１２で形成された空間には、後述する発電ユニット２０、振動発生部３０、及び、レバー部７０などが収容される。
【００４２】
上面部１１ａは、ユーザが操作する操作面である。具体的には、ユーザは上面部１１ａを押下する。これにより、ボタン部１１は発電スイッチ１０が置かれる設置面側（本実施の形態では、Ｚ軸プラス側からＺ軸マイナス側）に押し下げられる。
【００４３】
ボタン部１１及びケース部１２は、樹脂材料から形成される。例えば、ボタン部１１及びケース部１２は、アクリル樹脂やポリカーボネート樹脂、ＰＢＴ樹脂（Ｐｏｌｙｂｕｔｙｌｅｎｅ  Ｔｅｒｅｐｈｔｈａｌａｔｅ）、ＰＯＭ（Ｐｏｌｙｏｘｙｍｅｔｈｙｌｅｎｅ）、ＡＢＳ樹脂（Ａｃｒｙｌｏｎｉｔｒｉｌｅと、Ｂｕｔａｄｉｅｎｅと、Ｓｔｙｒｅｎｅとの共重合体）などによって形成される。なお、ボタン部１１及びケース部１２の材料は、これに限定されない。また、ボタン部１１とケース部１２とは、同一の材料で形成されてもよいし、異なる材料で構成されてもよい。また、ボタン部１１及びケース部１２は、有色な樹脂材料から形成されてもよい。これにより、ユーザは、ボタン部１１及びケース部１２により形成された空間に収容されている各構成要素を視認することができない。よって発電スイッチ１０の美観を向上させることができる。
【００４４】
図２に示すように、ケース部１２の底面部１２ａには３つの開口が形成されており、当該開口のそれぞれにネジ１３が取り付けられている。ケース部１２は、ネジ１３により発電ユニット２０が有する剛板２７（図５参照）と螺合結合される。剛板２７については、後述する。
【００４５】
なお、図３に示すボタン下部９０の天板９１とボタン部１１の上面部１１ａとが固定される。例えば、天板９１のＺ軸プラス側の面（図３では天板９１の上面）とボタン部１１の上面部１１ａのＺ軸マイナス側の面（図１では上面部１１ａの下面）とが接着テープなどにより接着されることで、ボタン下部９０とボタン部１１とが固定される。なお、ボタン下部９０とボタン部１１との固定は、接着テープによる固定に限定されず、ボタン部１１がボタン下部９０から離れないように固定されていればよい。例えば、ボタン下部９０とボタン部１１とはネジなどにより螺合結合されていてもよいし、その他の固定方法であってもよい。
【００４６】
［１−２．発電ユニット］
次に、発電ユニット２０について、図３〜図６を参照しながら説明する。
【００４７】
発電ユニット２０は、ボタン部１１が操作されることで所定の信号を送信するための電力を発生させ、所定の信号を送信する装置である。図３及び図４に示すように、発電ユニット２０はボタン部１１及びケース部１２を省略した状態で、発電スイッチ１０の下側（Ｚ軸マイナス側）に配置される。発電ユニット２０は、保持部２１、発電部２４、信号発信部２６、及び、剛板２７を備える。
【００４８】
まず、発電に寄与する保持部２１、発電部２４、及び剛板２７について、図５を参照しながら説明する。
【００４９】
図５は、本実施の形態に係る発電ユニット２０の構成を示す分解斜視図である。なお、図５では、信号発信部２６は図示を省略している。
【００５０】
図５に示すように、保持部２１は、Ｚ軸プラス側の面に発電部２４が固定され、Ｚ軸マイナス側の面に剛板２７が固定される。まず、各構成要素の固定について説明する。
【００５１】
発電ユニット２０は、保持部２１を剛板２７に固定するための固定部材を備える。発電ユニット２０は、発電部２４の固定端部２４ａ側を保持部２１に固定するための固定部材を備える。本実施の形態では、発電ユニット２０は、保持部２１を剛板２７に螺合結合するためのネジ１３ａを備える。発電ユニット２０は、固定端部２４ａ側を保持部２１に螺合結合するためのネジ１３ｂを備える。本実施の形態では、ネジ用ホルダ部２８を介してネジ１３ｂにより発電部２４と保持部２１と剛板２７とが一体的に螺合結合される。つまり、ネジ１３ｂは、固定端部２４ａと、保持部２１と、剛板２７とを固定する共通の固定部材である。ネジ１３ａ及びネジ１３ｂにより保持部２１に発電部２４及び剛板２７が固定されることで、保持部２１は発電部２４及び剛板２７を保持する。
【００５２】
なお、保持部２１と剛板２７との固定、並びに、発電部２４と保持部２１との固定は、螺合結合に限定されない。つまり、固定部材は、ネジ１３ａ及び１３ｂに限定されない。例えば、保持部２１を剛板２７に接着剤を用いて固定してもよい。発電部２４を保持部２１に、接着剤を用いて固定してもよい。その他の方法で固定してもよい。
【００５３】
以下、図５を参照しながら、各構成要素について説明する。
【００５４】
保持部２１は、固定端部２４ａ及び剛板２７が固定される部材である。保持部２１は、固定端部２４ａを固定するホルダ部２１ｄを有する。ホルダ部２１ｄは、Ｚ軸方向から見たときに、保持部２１のうち磁石６０よりもＹ軸マイナス方向に位置する。また、保持部２１は、ネジ穴２１ａ及び２１ｃを有する。ネジ穴２１ａは、保持部２１に剛板２７を固定するための開口部であり、ネジ穴２１ｃは、ホルダ部２１ｄに発電部２４を固定するための開口部である。ネジ穴２１ｃは、ホルダ部２１ｄに形成された開口部である。また、保持部２１は、側面（Ｘ軸側の面）に第１の凸部２２及び第２の凸部２３を有する。例えば、第１の凸部２２及び第２の凸部２３は、保持部２１と一体的に形成されてもよい。
【００５５】
第１の凸部２２は、後述するアーム部４０を回動させるための回動軸であり、保持部２１のうちホルダ部２１ｄ側の側面（Ｙ軸マイナス側の側面）からＸ軸方向に突出するように形成されている。第１の凸部２２は、保持部２１のＸ軸プラス側の端部からＸ軸プラス側に突出する凸部、及び、保持部２１のＸ軸マイナス側の端部からＸ軸マイナス側に突出する凸部とから構成される。Ｘ軸方向から見た場合、第１の凸部２２の外形は、Ｚ軸方向が長軸となる略長円形状である。なお、第１の凸部２２は、アーム部４０が軸支される第２の軸部の一例である。
【００５６】
第２の凸部２３は、後述するレバー部７０を回動させるための回動軸であり、保持部２１のうち発電部２４を固定しない側の側面（Ｙ軸プラス側の側面）からＸ軸方向に突出するように形成されている。第２の凸部２３は、保持部２１のＸ軸プラス側の端部からＸ軸プラス側に突出する凸部、及び、保持部２１のＸ軸マイナス側の端部からＸ軸マイナス側に突出する凸部とから構成される。Ｘ軸方向から見た場合、第２の凸部２３の外形はＺ軸マイナス側に円弧を有する略半円形状である。
【００５７】
保持部２１は、樹脂材料から構成される。例えば、保持部２１は、アクリル樹脂やポリカーボネート樹脂、ＰＢＴ樹脂、ＡＢＳ樹脂などによって形成される。
【００５８】
発電部２４は、磁性体板２５及び圧電素子を有し、屈曲振動することで圧電効果により電圧を発生する。発電部２４は、平板状に形成されており、一端部側に２つのネジ穴２４ｃが形成されている。ネジ穴２４ｃは、発電部２４をホルダ部２１ｄに固定するための開口である。例えば、ネジ１３ｂにより発電部２４とホルダ部２１ｄとが螺合結合される。つまり、発電部２４は、一端部（本実施の形態では、Ｙ軸マイナス側の端部）が固定される固定端部２４ａであり、他端部（本実施の形態では、Ｙ軸プラス側の端部）が自由端部２４ｂである片持ち梁構造を有する。そして、発電部２４は、自由端部２４ｂが自由振動することにより発電する。つまり、発電部２４は、ホルダ部２１ｄに固定された固定端部２４ａと自由振動する自由端部２４ｂとを有し、自由端部２４ｂが自由振動することで電力を発生させる。なお、固定端部２４ａは、ホルダ部２１ｄに固定される固定部の一例である。
【００５９】
発電部２４の平面視における形状は、例えば略矩形状である。
【００６０】
磁性体板２５は、磁性体材料によって形成され、自由端部２４ｂ側の端部に固定される。後述するアーム部４０が有する磁石６０を磁力により吸着する吸着体の一例である（たとえば図７参照）。磁性体板２５は、発電部２４の自由端部２４ｂ側の先端に固定されてもよい。これにより、磁性体板２５は、発電部２４の錘を兼ねることができる。また、磁性体板２５は、発電部２４の幅方向（Ｘ軸と平行な方向）に延びて形成される。なお、発電部２４の幅方向は、平面視したときに、発電部２４の固定端部２４ａと自由端部２４ｂとを結ぶ方向と略直交する方向であり、第２の方向の一例である。
【００６１】
ここで、発電部２４の構造について、図６を参照しながら説明する。
【００６２】
図６は、図５のＶＩ−ＶＩ線における、本実施の形態に係る発電部２４の部分断面図である。
【００６３】
発電部２４は、薄板状の金属板２４ｄと、金属板２４ｄの少なくとも一方の面に配置された圧電素子とから構成される。図６に示すように、本実施の形態では、発電部２４は、薄板状の金属板２４ｄと、金属板２４ｄの両面に配置される薄板状の圧電素子２４ｅ及び２４ｆとを有する。具体的には、圧電素子２４ｅは金属板２４ｄの信号発信部２６側（Ｚ軸プラス側）に配置されており、圧電素子２４ｆは金属板２４ｄの保持部２１側（Ｚ軸マイナス側）に配置されている。つまり、発電部２４は２つの圧電素子２４ｅ及び２４ｆを有し、２つの圧電素子２４ｅ及び２４ｆは金属板２４ｄを挟むように配置されている。例えば、圧電素子２４ｅ、金属板２４ｄ及び圧電素子２４ｆはこの順に接触して積層されている。これにより、圧電素子が１つである場合に比べ、自由振動により高い電力を発生させることができる。
【００６４】
金属板２４ｄは、ばね材料によって形成されている。金属板２４ｄとしては、例えばステンレスなどの金属材料を用いることができる。
【００６５】
圧電素子２４ｅは、金属板２４ｄからＺ軸プラス側に向かって、電極２４ｇ、圧電体２４ｈ及び電極２４ｉの順に接触して積層されている。また。圧電素子２４ｆは、金属板２４ｄからＺ軸マイナス側に向かって、電極２４ｇ、圧電体２４ｈ及び電極２４ｉの順に接触して積層されている。電極２４ｇ及び２４ｉは、圧電体２４ｈで発生した電圧を取り出すための電極である。なお、電極２４ｇ及び２４ｉは、金属材料で構成されてもよいし、酸化物導電体材料で構成されてもよい。
【００６６】
なお、圧電素子２４ｅの電極２４ｇと圧電素子２４ｆの電極２４ｇとは同一の極性の電極である。また、圧電素子２４ｅの電極２４ｉと圧電素子２４ｆの電極２４ｉとは同一の極性であり、かつ電極２４ｇとは逆極性の電極である。例えば、電極２４ｉが正極である場合、電極２４ｇは負極であり、電極２４ｉが負極である場合、電極２４ｇは正極である。発電部２４で生成された電力は、電力線（図示しない）などを介して信号発信部２６に出力される。
【００６７】
なお、図示しないが、発電部２４は整流器及び電圧調整器などを有していてもよい。自由端部２４ｂの自由振動により発生する交流電力は、整流回路及びコンデンサを有する整流器などにより直流電力に変換され、貯蔵される。直流電力の電圧は数十Ｖであり、一例として約５０Ｖである。そして、ＤＣ−ＤＣコンバータなどの電圧調整器により、信号発信部２６に過大な電圧が印加されないように降圧が行われる。例えば、電圧調整器により３Ｖ程度まで降圧され、当該降圧された電力は信号発信部２６が信号を発信するための電力として使用される。
【００６８】
また、図６において、発電部２４の固定端部２４ａと自由端部２４ｂとを結ぶ方向はＹ軸と平行な方向であり、第３の方向の一例である。
【００６９】
再び図５を参照して、剛板２７は、保持部２１に固定される錘である。剛板２７は、例えば、金属製の板である。剛板２７は、保持部２１に対して発電部２４と反対側に配置される。剛板２７は、例えば、ステンレスなどの非磁性体材料によって形成される。剛板２７の厚みは特に限定されないが、一例として約２ｍｍ程度である。なお、剛板２７は、磁性体材料によって形成されてもよい。
【００７０】
発電部２４が自由振動する際、当該自由振動は減衰しにくい方がよい。保持部２１に剛板２７を固定することで発電ユニット２０（発電スイッチ１０）が重くなり、発電部２４の自由振動を長く維持させることが可能となる。つまり、発電部２４の自由振動の減衰を抑制することができるので、発電ユニット２０の発電効率が向上する。
【００７１】
また、本実施の形態では、剛板２７には、保持部２１に剛板２７を固定するためのネジ穴２７ａ、ケース部１２を剛板２７に固定するためのネジ穴２７ｂ、及び、発電部２４の固定端部２４ａとホルダ部２１ｄと剛板２７とを共通の固定部材で固定するためのネジ穴２７ｃが形成されている。なお、ネジ穴２７ａ〜２７ｃの位置及び数は図５に示す位置及び数に限定されない。
【００７２】
再び図４を参照して、信号発信部２６は、発電部２４から電力が供給されると、当該電力を用いて所定の信号を無線で送信する送信装置である。言い換えると、信号発信部２６は、発電部２４から供給された電力によってのみ動作する。なお、無線通信は、一例としてＺｉｇＢｅｅ（登録商標）の通信規格を用いた無線通信であるが、これに限定されず、無線ＬＡＮ（例えば、Ｗｉ−Ｆｉ（登録商標））などの通信規格を用いた無線通信であってもよい。
【００７３】
図４に示すように、信号発信部２６は、基板２６ａ及びシールドケース２６ｂを有する。
【００７４】
基板２６ａは、所定の信号を発信するための送信用ＩＣ（Ｉｎｔｅｇｒａｔｅｄ  Ｃｉｒｃｕｉｔ）を含む電気回路が実装された基板である。例えば、送信用ＩＣは発電部２４から電力が供給されると、所定の信号を生成しアンテナを介して送信する制御を行う。なお、上記でも記載したように、所定の信号とは、発電スイッチ１０ごとに固有の識別情報を示す情報などである。つまり、発電ユニット２０から電力が供給されるたびに、送信用ＩＣは同じ信号を送信する制御を行う。また、基板２６ａには発電部２４からの電力の供給を受けるための電線対基板用コネクタなどが実装されてもよい。
【００７５】
シールドケース２６ｂは、金属材料等により形成され、基板２６ａに固定される。シールドケース２６ｂは、電気回路を静電気や外電波ノイズ等から保護するために、回路上の接地電位に接続される。
【００７６】
また、信号発信部２６は、基板２６ａで生成された信号を送信する送信部であるアンテナ（図示しない）を有する。アンテナは、例えば金属材料から形成され、基板２６ａの電気回路と電気的に接続されている。
【００７７】
また、信号発信部２６は、例えば、保持部２１に保持される。
【００７８】
［１−３．振動発生部］
振動発生部３０について、図３及び図４を参照しながら、さらに図７〜図９を用いて説明する。
【００７９】
振動発生部３０は、ボタン部１１が押下され回動することで、発電部２４を自由振動させる。図４に示すように、振動発生部３０は、アーム部４０及び磁石保持部５０を有する。また、図３及び図４に示すように、アーム部４０は、ボタン下部９０に覆われている。これにより、ボタン下部９０が押し下げられる、つまりボタン部１１が押下されることで、アーム部４０を押し下げ回動させることが可能となる。アーム部４０が回動することで磁石保持部５０が有する磁石６０と吸着している発電部２４が撓み、磁石６０と発電部２４とが離れることで、発電部２４が自由振動する。押下されるとは、ボタン部１１がＺ軸のプラス側からＺ軸マイナス側に押下されることを意味する。
【００８０】
図７は、本実施の形態に係る振動発生部３０の構成を示す分解斜視図である。
【００８１】
図７に示すように、振動発生部３０は、ボタン下部９０が押し下げられることで回動するアーム部４０と、磁石６０を有する磁石保持部５０とが別体として構成されている。本願発明は、アーム部４０と磁石保持部５０とが別体であり、かつ後述するように磁石保持部５０がアーム部４０に回動可能に保持されている点に特徴を有する。
【００８２】
アーム部４０は、アーム４１ａ、アーム４１ｂ、及び、接続部４２から構成される。また、アーム４１ａ及び４１ｂのそれぞれのＹ軸プラス側（自由端部２４ｂ側）には第１の開口部４３、自由端部２４ｂ側の端部とＹ軸マイナス側（固定端部２４ａ側）の端部との間には第２の開口部４４、及び、アーム４１ａ及び４１ｂのＹ軸マイナス側には第３の開口部４５が形成されている。
【００８３】
アーム４１ａ及び４１ｂは、発電部２４の固定端部２４ａと自由端部２４ｂとを結ぶ方向に延び、かつ互いに略平行に配置されている。
【００８４】
アーム４１ａ及び４１ｂの自由端部２４ｂ側の端部は、例えば、ボタン下部９０に固定される。具体的には、アーム４１ａ及び４１ｂに形成されている第１の開口部４３と、ボタン下部９０のＺ軸マイナス側の面に形成されている凸部（図示しない）とが嵌合することにより、アーム部４０とボタン下部９０とが取り付けられる。
【００８５】
アーム４１ａ及び４１ｂの固定端部２４ａ側の端部は、発電ユニット２０に回動可能に取り付けられる。具体的には、アーム４１ａ及び４１ｂのそれぞれに形成されている第３の開口部４５は、第１の凸部２２に対応する形状を有し、第３の開口部４５と第１の凸部２２とが嵌合することで、アーム部４０は第１の凸部２２に軸支される。これにより、アーム部４０は第１の凸部２２を回動軸として発電ユニット２０に対して回動可能に取り付けられる。例えば、Ｘ軸方向から見た場合、第３の開口部４５及び第１の凸部２２の外形は略円形状である。なお、アーム４１ａ及び４１ｂの固定端部２４ａ側の端部は、アーム部４０の固定端部２４ａ側の端部４０ａを構成する。つまり、端部４０ａは、第１の凸部２２に軸支される端部であり、第１の端部の一例である。
【００８６】
また、アーム４１ａ及び４１ｂの固定端部２４ａ側の端部には、平面視において発電スイッチ１０の外方に向けて突出する第１の凸部４６が形成されている。アーム４１ａ及び４１ｂに形成される第１の凸部４６は、後述するレバー部７０に形成される第１の開口部７４（図４参照）と嵌合する。なお、第１の凸部２２により軸支されている軸の方向（本実施の形態ではＸ軸と平行な方向）から第１の凸部４６を見た場合、第１の凸部４６の外形は略円形状である。
【００８７】
上記のように、アーム部４０がボタン下部９０及び発電ユニット２０に取り付けられ、ボタン部１１が押下され（例えば、ボタン部１１の自由端部２４ｂ側の部分が押下され）ボタン下部９０がアーム部４０を押し下げることで、アーム部４０は第１の凸部２２を回動軸として回動する。アーム部４０は、ボタン下部９０により押し下げられることで、Ｚ軸マイナス側に向かって回動する。本実施の形態では、アーム部４０は、発電スイッチ１０の外方からアーム４１ａを見た場合（言い換えると、Ｘ軸プラス側からＸ軸マイナス側を見た場合）にボタン下部９０により押し下げられることで時計回りに回動する。なお、アーム４１ａ及び４１ｂは、アーム部４０が有する一対のアームの一例である。
【００８８】
第２の開口部４４には、後述するレバー部７０の凸部７６（図４参照）が嵌合する。
【００８９】
接続部４２は、アーム４１ａ及び４１ｂの自由端部２４ｂ側の端部同士を接続する。接続部４２は、図４に示すように、Ｘ軸方向と平行な方向に延びて形成されている。例えば、接続部４２のＸ軸方向における中央部に対応するボタン部１１の位置が押下された場合、接続部４２の回動に伴って、アーム４１ａ及び４１ｂを回動させることができる。なお、アーム４１ａ及び４１ｂの自由端部２４ｂ側の端部及び接続部４２は、アーム部４０の自由端部２４ｂ側の端部４０ｂを構成する。端部４０ｂは、回動することでＺ軸方向に移動する第２の端部の一例である。
【００９０】
ボタン部１１が押下されることにより回動するアーム部４０は、移動部の一例である。また、本実施の形態の場合、Ｘ軸プラス側からＸ軸マイナス側を見たときに、ボタン部１１が押下されるとアーム部４０は第１の凸部２２を回動軸として、押下された方向であるＺ軸方向に向かって回動する。ここで、Ｚ軸方向に向かうとは、Ｘ軸プラス側からＸ軸マイナス側にアーム部４０を見たときに、アーム部４０の回動（円運動）の速度の向きと平行な方向が、ボタン部１１が押下された方向と平行となる方向を含むことを意味する。つまり、アーム部４０が回動する中でアーム部４０の速度の向きは時間とともに変化するが、アーム部４０の速度の向きと平行な方向の中にＺ軸と平行な方向が含まれていればよい。この場合、Ｚ軸と平行な方向は、第１の方向の一例である。例えば、第１の方向と第２の方向と第３の方向とは、互いに直交する方向である。
【００９１】
また、アーム部４０は、後述する磁石保持部５０に形成される回動軸部５２が挿入される挿入部を有する。アーム部４０が有する挿入部について、図８を参照しながら説明する。
【００９２】
図８は、本実施の形態に係るアーム部４０の構成を示す斜視図である。具体的には、図８は、アーム部４０をＺ軸マイナス側から見たときの斜視図である。
【００９３】
図８に示すように、アーム部４０の主面部４７には磁石保持部５０の回動軸部５２が挿入される挿入部４８が形成されている。主面部４７は、接続部４２と同様、発電部２４の幅方向に延びて形成されている。本実施の形態では、挿入部４８は、磁石保持部５０の回動軸部５２が挿入される凹みを有する。挿入部４８の形状は回動軸部５２の形状に応じて適宜決定されるが、一例として、半円柱状（言い換えると、かまぼこ状）の凹みである。また、挿入部４８が形成される位置は、回動軸部５２の位置に応じて適宜決定されるが、一例として主面部４７のＸ軸方向における略中央部に配置されている。主面部４７は、接続部４２のうち磁石保持部５０側の部分であり、第１の主面部の一例である。
【００９４】
再び図７を参照して、続いて磁石保持部５０について説明する。
【００９５】
図７に示すように、磁石保持部５０は、本体部５１、回動軸部５２、及び、保持部５３から構成される。また、磁石保持部５０は、磁石６０を有する。なお、磁石保持部５０は磁石６０を有する吸引部の一例である。
【００９６】
本体部５１は、アーム部４０の主面部４７と対向して配置される主面部５１ａと、主面部５１ａの両端部から発電ユニット２０側（つまり、Ｚ軸のマイナス側）に立設する立設部５１ｂとから構成される。
【００９７】
主面部５１ａは、発電部２４の幅方向に延びて形成されている略矩形棒状の部材である。本実施の形態では、主面部５１ａのＸ軸方向の略中央部に主面部５１ａから主面部４７に突出する回動軸部５２を有する。Ｙ軸方向から見たときに、回動軸部５２の外形は略円形状である。例えば、回動軸部５２は、直径が５ｍｍの円形状である。つまり、回動軸部５２は、Ｙ軸方向から見たときに、回動軸部５２の円弧の一部が主面部５１ａの表面（つまり、Ｚ軸プラス側の面）から主面部４７に向けて突出して形成されている。この突出した部分が、挿入部４８に挿入されることで、アーム部４０と磁石保持部５０とが勘合される。なお、主面部５１ａは、第２の主面部の一例である。また、回動軸部５２は、少なくとも一部が主面部５１ａから主面部４７に向けて突出する第１の軸部の一例である。なお、第１の軸部は、第１の主面部から第２の主面部に向けて突出してもよい。
【００９８】
次に、回動軸部５２の形状について、図９を参照しながらより詳細に説明する。
【００９９】
図９は、本実施の形態に係る磁石保持部５０の構成を示す図である。具体的には、図９は、Ｘ軸のプラス側から磁石保持部５０を見たときの図である。
【０１００】
図９に示すように、回動軸部５２は、Ｙ軸方向（つまり、固定端部２４ａと自由端部２４ｂとを結ぶ方向）に延びて形成されており、主面部５１ａのＹ軸方向の長さより長く形成されている。具体的には、Ｙ軸方向に対して主面部５１ａから突出した凸部５２ｂを有する。これにより、回動軸部５２が挿入部４８に挿入された後、回動軸部５２の移動を規制することができる。
【０１０１】
図７及び図９に示すように、回動軸部５２の形状は、Ｙ軸方向に延びて形成される略円柱状である。そして、図９に示すように、回動軸部５２のアーム部４０側（つまり、挿入部４８側）の端部には、一部が切か欠かれた切欠部５２ａが形成されている。これにより、回動軸部５２を挿入部４８に挿入する際に、挿入しやすくなる。つまり、回動軸部５２を挿入部４８に挿入するときの作業性が向上する。
【０１０２】
再び図７を参照して、立設部５１ｂは、主面部５１ａの両端部から略垂直に立設して形成されている。そして、立設部５１ｂの側面から、磁石６０を固定するための爪部５３ａを有する保持部５３が形成されている。保持部５３は、磁石６０を主面部５１ａから所定の間隔をあけて固定する。これにより、主面部５１ａと磁石６０との間に、発電部２４を配置することが可能となる。また、発電部２４が自由振動しているときに、発電部２４と磁石保持部５０とが接触することを抑制することができる。
【０１０３】
磁石６０は、アーム部４０とともにＺ軸方向に移動し、自由端部２４ｂに磁力によって吸着される状態と吸着される状態から解放される状態とをとることで、発電部２４に自由振動を起こさせるための部材である。
【０１０４】
磁石６０は、Ｚ軸方向から見たときに発電部２４の幅方向に延びて形成されている。これにより、磁石６０は自由端部２４ｂと面接触するので、自由端部２４ｂをより強い力で吸着することができる。つまり、自由端部２４ｂの自由振動を大きく（具体的には、自由振動の振幅を大きく）することができるので、発電部２４で発生する電力をより高くすることができる。
【０１０５】
また、磁石６０は、平面視において、発電部２４の自由端部２４ｂ側の端部に配置されている磁性体板２５と重なる位置に配置される。例えば、磁石６０は、発電部２４が撓んでいない状態において、発電部２４の自由端部２４ｂ側の端部と接触するように配置される。なお、発電部２４が撓んでいない状態とは、ユーザがボタン部１１を操作していない状態であり、以降では初期状態とも記載する。つまり、磁石６０は、初期状態では、磁性体板２５に磁力によって吸着されている（図３を参照）。
【０１０６】
アーム部４０及び磁石保持部５０は、樹脂材料から構成される。例えば、アーム部４０及び磁石保持部５０は、アクリル樹脂やポリカーボネート樹脂、ＰＢＴ樹脂、ＡＢＳ樹脂などによって形成される。例えば、アーム部４０を構成する各構成要素は一体的に形成されてもよい。また、磁石保持部５０を構成する各構成要素は一体的に形成されてもよい。また、例えば、アーム部４０と磁石保持部５０とは、同一の材料で形成されてもよい。
【０１０７】
なお、上記では、アーム部４０に挿入部４８が形成され、磁石保持部５０に回動軸部５２が形成されている例について説明したが、これに限定されない。アーム部４０及び磁石保持部５０の一方に回動軸部５２が形成され、他方に回動軸部５２が挿入される挿入部４８が形成されていればよい。例えば、アーム部４０に回動軸部５２が形成され、磁石保持部５０に挿入部４８が形成されていてもよい。この場合、アーム部４０は少なくとも一部が主面部４７から主面部５１ａに向けて突出し、かつＹ軸方向（つまり、固定端部２４ａと自由端部２４ｂとを結ぶ方向）に延びる回動軸部５２を有し、磁石保持部５０は回動軸部５２が挿入される挿入部４８を有していてもよい。
【０１０８】
［１−４．レバー部］
再び図３及び図４を参照して、次に、レバー部７０について説明する。
【０１０９】
図３に示すように、レバー部７０は、ボタン下部９０に覆われている。これにより、ボタン下部９０が押し下げられることで、レバー部７０を押し下げ回動させることが可能となる。
【０１１０】
図４に示すように、レバー部７０は、アーム７１ａ、アーム７１ｂ、第１の接続部７２、及び、第２の接続部７３から構成される。また、アーム７１ａ及び７１ｂのそれぞれの固定端部２４ａ側には第１の開口部７４が形成され、第１の接続部７２の両端部には第２の開口部７５が形成されている。第２の開口部７５は、第１の開口部７４よりボタン下部９０側の位置に形成されている。
【０１１１】
レバー部７０の固定端部２４ａ側の端部は、ボタン下部９０に固定される。具体的には、第１の接続部７２に形成されている第２の開口部７５と、ボタン下部９０のＺ軸マイナス側の面に形成されている凸部（図示しない）とが嵌合することで、レバー部７０とボタン下部９０とが取り付けられる。なお、第１の開口部７４には、アーム部４０に形成されている第１の凸部４６が嵌合される。
【０１１２】
アーム７１ａ及び７１ｂは、発電部２４の固定端部２４ａと自由端部２４ｂとを結ぶ方向に延び、互いに略平行に配置されている。アーム７１ａ及び７１ｂには、平面視において発電スイッチ１０の外方に向けて突出する凸部７６が形成されている。アーム７１ａ及び７１ｂに形成されている凸部７６は、アーム４１ａ及び４１ｂに形成されている第２の開口部４４と嵌合する。これにより、レバー部７０とアーム部４０とが取り付けられる。なお、発電部２４の幅方向から凸部７６を見た場合、凸部７６の外形は略円形状である。
【０１１３】
アーム７１ａ及び７１ｂの自由端部２４ｂ側の端部同士は、発電ユニット２０に回動可能に取り付けられる。具体的には、アーム７１ａ及び７１ｂの自由端部２４ｂ側の端部には、Ｘ軸方向から見たときに発電ユニット２０の第２の凸部２３の略半円形状に対応した湾曲形状を有する湾曲部７７が形成されている。湾曲部７７は、第２の凸部２３と当接するように配置される。なお、アーム７１ａ及び７１ｂは、レバー部７０が有する一対のアームの一例である。
【０１１４】
第１の接続部７２は、アーム７１ａ及び７１ｂの固定端部２４ａ側の端部同士を接続する。第１の接続部７２は、発電部２４の幅方向と平行な方向に延びて形成されている。例えば、第１の接続部７２のＸ軸方向における中央部に対応するボタン部１１の位置が押下された場合、第１の接続部７２の回動に伴って、アーム７１ａ及び７１ｂを回動させることができる。
【０１１５】
第２の接続部７３は、アーム７１ａ及び７１ｂの自由端部２４ｂ側の端部同士を接続する。第２の接続部７３は、発電部２４の幅方向と平行な方向に延びて形成されている。
【０１１６】
上記のように、レバー部７０がボタン下部９０及び発電ユニット２０に取り付けられ、ボタン部１１が押下され（例えば、ボタン部１１の固定端部２４ａ側の部分が押下され）ボタン下部９０がレバー部７０を押し下げることで、レバー部７０は第２の凸部２３を回動軸として回動する。レバー部７０は、ボタン下部９０により押し下げられることで、Ｚ軸マイナス側に向かって回動する。本実施の形態では、レバー部７０は、発電スイッチ１０の外方からアーム７１ａを見た場合（言い換えると、Ｘ軸プラス側からＸ軸マイナス側を見た場合）に、ボタン下部９０により押し下げられることで反時計回りに回動する。つまり、レバー部７０がボタン下部９０により押し下げられた場合、レバー部７０はアーム部４０と逆向きに回動する。
【０１１７】
また、レバー部７０は、回動することでアーム部４０を回動させることができる構造を有する。一例として、アーム７１ａ及び７１ｂは、アーム４１ａ及び４１ｂに向かう方向（言い換えると、Ｚ軸マイナス方向）に突出する凸部（図示しない）を有していてもよい。例えば、アーム７１ａ及び７１ｂは、アーム７１ａ及び７１ｂのＹ軸方向の略中央の位置にアーム４１ａ及び４１ｂ向けて突出する凸部を有する。例えば、平面視において、アーム７１ａ及び７１ｂが有する凸部は、アーム４１ａ及び４１ｂの一部と重なるように配置される。これにより、ボタン部１１のＹ軸マイナス側の部分が押下されレバー部７０が回動することで、アーム７１ａ及び７１ｂに形成された凸部がアーム部４０のアーム４１ａ及び４１ｂを押し下げることができる。よって、ボタン部１１の固定端部２４ａ側が押下された場合であっても、レバー部７０がアーム部４０を回動させるので発電ユニット２０での発電が可能となる。つまり、発電スイッチ１０の操作性が向上する。なお、ボタン部１１が押下されていない状態で、アーム７１ａ及び７１ｂに形成された凸部とアーム４１ａ及び４１ｂとは、当接していてもよい。
【０１１８】
レバー部７０は、樹脂材料から構成される。例えば、レバー部７０は、アクリル樹脂やポリカーボネート樹脂、ＰＢＴ樹脂、ＡＢＳ樹脂などによって形成される。例えば、レバー部７０を構成する各構成要素は、一体的に形成されてもよい。
【０１１９】
上記のように、発電スイッチ１０は、固定端部２４ａ側の端部が軸支されたアーム部４０と、自由端部２４ｂ側の端部が軸支されたレバー部７０とを備える。そして、レバー部７０は回動するときにアーム部４０を押し下げ回動させる。なお、レバー部７０は、発電スイッチ１０に必須の構成要素ではない。
【０１２０】
［１−５．カバー部］
次に、カバー部８０について、図４を参照しながら説明する。
【０１２１】
図４に示すように、カバー部８０は、振動発生部３０及びレバー部７０を覆うように配置される。カバー部８０は、発電ユニット２０、振動発生部３０及びレバー部７０を嵌合し接続した接続体を、ケース部１２に収容するときに、ボタン部１１側から接続体を覆う部材である。カバー部８０は、ケース部１２の側面部１２ｂとカバー部８０の側面部とが嵌合することでケース部１２に固定される。
【０１２２】
また、カバー部８０には、アーム部４０の接続部４２、及び、レバー部７０の第１の接続部７２に対応する位置に開口部８１を有する。これにより、アーム部４０とボタン下部９０、及び、レバー部７０とボタン下部９０との接続が可能となる。
【０１２３】
カバー部８０は、樹脂材料から構成される。例えば、カバー部８０は、アクリル樹脂やポリカーボネート樹脂、ＰＢＴ樹脂、ＡＢＳ樹脂などによって形成される。
【０１２４】
［１−６．ボタン下部］
次に、ボタン下部９０について、図３及び図４を参照しながら説明する。
【０１２５】
図３に示すように、ボタン下部９０は、アーム部４０及びレバー部７０を覆うように配置される。
【０１２６】
図４に示すように、ボタン下部９０は、天板９１及び側面部９２から構成される。ボタン下部９０の平面視形状は、角が欠けた略矩形状である。
【０１２７】
天板９１は、ボタン部１１の上面部１１ａと略平行に配置される。例えば、天板９１と上面部１１ａとが接着テープなどにより接着されることで、ボタン下部９０とボタン部１１とが固定される。つまり、ユーザがボタン部１１（具体的には、ボタン部１１の上面部１１ａ）を押下すると、ボタン下部９０はボタン部１１とともに押し下げられる。
【０１２８】
側面部９２は、天板９１の端部から発電ユニット２０側に立設して形成されている。側面部９２の４隅には、発電ユニット２０側に突出した爪部９２ａが形成されている。爪部９２ａは、ケース部１２とボタン下部９０とを取り付けるための凸部である。爪部９２ａに対応するケース部１２の側面部の位置には、凹部（図示しない）が形成されており、爪部９２ａが凹部に引っかかることで、ボタン下部９０がケース部１２から外れることを抑制する。さらに、凹部はボタン下部９０が押し下げられＺ軸マイナス方向に移動することが可能なように形成されている。
【０１２９】
ボタン下部９０は、樹脂材料から構成される。例えば、ボタン下部９０は、アクリル樹脂やポリカーボネート樹脂、ＰＢＴ樹脂、ＡＢＳ樹脂などによって形成される。例えば、ボタン下部９０を構成する各構成要素は、一体的に形成されてもよい。
【０１３０】
［２．アーム部と磁石保持部との接続関係］
次に、アーム部４０と磁石保持部５０との接続関係について、図１０及び図１１を参照しながら説明する。
【０１３１】
図１０は、図４のＸ−Ｘ線における、本実施の形態に係る振動発生部３０の部分断面図である。なお、図１０では断面のみを示している。また、図１１は、図４のＸＩ−ＸＩ線における、本実施の形態に係る振動発生部３０の部分断面図である。なお、図１０及び図１１では、発電部２４及び磁性体板２５も図示している。また、図１０及び図１１は、初期状態での断面を示している。
【０１３２】
図１０に示すように、回動軸部５２のうち主面部５１ａからアーム部４０の主面部４７側に突出した部分が、アーム部４０の挿入部４８に挿入されている。この状態において、磁石保持部５０は、挿入部４８と回動軸部５２との勘合のみで保持されている。つまり、磁石保持部５０は、保持部２１又はレバー部７０等とは接続されていない。
【０１３３】
磁石保持部５０の回動軸の方向は、回動軸部５２が延びる方向であり、Ｙ軸方向である。つまり、磁石保持部５０の回動軸の方向は、固定端部２４ａと自由端部２４ｂとを結ぶ方向である。磁石保持部５０は、回動軸部５２を中心に回動する。
【０１３４】
図１０では、回動軸部５２と挿入部４８とは少なくとも一部が接している例について示しているが、初期状態では回動軸部５２と挿入部４８とは接していなくてもよい。
【０１３５】
図１１に示すように、挿入部４８は、回動軸部５２を収容する構成を有している。具体的には、挿入部４８は、断面視において、爪部４８ａと側方壁部４８ｂと上方壁部４８ｃとで、回動軸部５２を収容している。爪部４８ａは側方壁部４８ｂの一部から挿入部４８の内側に突出して形成され、回動軸部５２の凸部５２ｂの底部（つまり、Ｚ軸マイナス側の部分）を支持している。例えば、爪部４８ａは、凸部５２ｂの底部と線接触している。
【０１３６】
また、側方壁部４８ｂは回動軸部５２をＹ軸方向から挟むように配置されており、回動軸部５２のＹ軸方向の動きを規制している。例えば、側方壁部４８ｂは回動軸部５２の凸部５２ｂの側部（つまり、Ｙ軸プラス側及びＹ軸マイナス側の部分）と少なくとも一部が接して配置されていてもよい。
【０１３７】
また、上方壁部４８ｃは、図１０及び図１１に示すように、回動軸部５２の少なくとも一部を覆うように形成されている。例えば、上方壁部４８ｃは、図１０に示すようにＸＺ平面で切断した断面において、曲率を有するように形成されている。これにより、上方壁部４８ｃは、回動軸部５２がＺ軸のプラス方向及びＸ軸方向に動くのを規制することができる。
【０１３８】
なお、挿入部４８の形状は上記に限定されず、回動軸部５２をＸ軸方向に移動しないように保持する形状であればよい。また、挿入部４８は、回動軸部５２の形状に応じた貫通孔であってもよい。つまり、側方壁部４８ｂは、設けられなくてもよい。
【０１３９】
図１０及び図１１に示すように、磁石６０が磁石保持部５０に保持され、かつ磁石保持部５０がアーム部４０に取り付けられた状態で、磁石６０は発電部２４と接触している。具体的には、磁石６０と自由端部２４ｂとは面接触している。これにより、磁石６０と発電部２４との磁力による吸着力が大きくなるので、自由端部２４ｂが自由振動したときに発電する電力を大きくすることが可能となる。
【０１４０】
［３．発電スイッチの動作］
次に、上記で説明した発電スイッチ１０のボタン部１１が押下された場合の発電スイッチ１０の状態について、図１２を参照しながら説明する。
【０１４１】
図１２は、本実施の形態に係るボタン部１１が操作される前後での振動発生部３０の動きを示す概略図である。具体的には、図４のＸ−Ｘ線における、本実施の形態に係る振動発生部３０の部分断面図である。図１２の（ａ）は、ボタン部１１が押下される前の振動発生部３０の状態を示している。なお、図１２には、発電部２４及び磁性体板２５も図示している。
【０１４２】
図１２の（ａ）に示すように、ボタン部１１が押下される前では、磁石６０と発電部２４（具体的には自由端部２４ｂ（図５参照））とが接触している。なお、この時点では、アーム部４０は回動軸部５２を回動軸として回動していない。そして、図中の矢印Ｐの位置に対応するボタン部１１の位置が押下されたときの振動発生部３０の状態について、図１２の（ｂ）を参照しながら説明する。図１２の（ｂ）は、ボタン部１１が押下された後の振動発生部３０の状態を示している。なお、矢印Ｐの位置に対応するボタン部１１の位置とは、図１においてボタン部１１の上面部１１ａのうち、Ｙ軸プラス側であって、かつＸ軸マイナス側の領域内の位置である。
【０１４３】
図１２の（ｂ）に示すように、図１２の（ａ）の矢印Ｐの位置が押下されると、押下された位置に応じてアーム部４０が傾く。ここで、アーム部４０が傾くとは、Ｙ軸方向からアーム部４０を見たときに、アーム部４０が初期状態からＹ軸方向を回動軸として回動する（言い換えると、捻れる）ことを意味する。つまり、ボタン部１１が押下され接続部４２がＹ軸方向と平行な状態のまま押し下げられることは、傾きが生じていない状態である。なお、以降では傾きが生じていない状態を平行な状態とも記載する。
【０１４４】
本実施の形態では、磁石保持部５０はアーム部４０とは別体であり、かつアーム部４０に回動可能に保持されているので、アーム部４０が傾いても磁石保持部５０はアーム部４０とともに傾いていない。これは、磁石保持部５０が回動軸部５２を介してアーム部４０に対して回動するので、アーム部４０の傾きによる影響が磁石保持部５０に伝わりにくくなるためである。言い換えると、磁石保持部５０は、アーム部４０が傾いてもその傾きに追従せずに初期状態を保つことが可能となる。また、押下された状態で、回動軸部５２と挿入部４８とは接触しており、回動軸部５２は平行な状態を維持したまま挿入部４８によりＺ軸マイナス側に向かって回動することができる（図１２の（ｂ）の矢印参照）。これにより、磁石保持部５０は、磁石６０と発電部２４とが面接触した状態のまま、発電部２４を撓ませることができる。
【０１４５】
例えば、振動発生部が回動軸部を有しておらずアーム部と磁石保持部とが固定されている場合、図１２の（ａ）に示す矢印Ｐの位置に対応するボタン部の位置が押下されると、アーム部及び磁石保持部は、同じように傾いてしまう。磁石保持部が傾くと磁石も傾いてしまう。これにより、図１２の（ｂ）に示すように、磁石と発電部とが面接触した状態で発電部を撓ませることが困難となる。言い換えると、発電スイッチを押す位置により、発電する電力にバラつきが生じる。
【０１４６】
上記のように、本実施の形態に係る発電スイッチ１０は、ボタン部１１が押下されることにより回動するアーム部４０と磁石６０を固定する磁石保持部５０とを別体で形成し、アーム部４０と磁石保持部５０とを回動可能に取り付ける構成を有する。なお、磁石保持部５０が回動するときの回動軸の方向は、発電部２４の固定端部２４ａと自由端部２４ｂとを結ぶ方向と略平行な方向である。
【０１４７】
また、挿入部４８は、回動軸部５２をＺ軸方向に移動可能なように形成されていてもよい。例えば、挿入部４８は、回動軸部５２より曲率が小さくなるように形成されていてもよい。このような構成の発電スイッチ１０における動作について、図１３を参照しながら説明する。
【０１４８】
図１３は、本実施の形態に係るボタン部１１が操作される前後での振動発生部３０の状態の他の例を示す概略図である。
【０１４９】
図１３の（ａ）は、ボタン部１１が押下される前の振動発生部３０の状態を示している。図１３の（ｂ）は、ボタン部１１が押下された後の振動発生部３０の状態を示している。なお、図１３の（ａ）は、図１２の（ａ）の破線領域に対応する領域の拡大図であり、図１３の（ｂ）は図１２の（ｂ）の破線領域に対応する領域の拡大図である。
【０１５０】
図１３の（ａ）及び（ｂ）に示すように、挿入部４８が回動軸部５２より曲率が小さくなるように形成されることで挿入部４８と回動軸部５２との接触部分を少なくすることができるので、磁石保持部５０がアーム部４０に対して回動するときに回動軸部５２に加わる摩擦による抵抗力を抑制することができる。よって、回動軸部５２に加わる応力を軽減することができるので、回動軸部５２の損傷を抑制することができる。また、摩擦による抵抗力を抑制することができるので、回動軸部５２の挿入部４８に対する回動を滑らかに行うことができる。よって、アーム部４０の傾きに磁石保持部５０が追従してしまうことをより抑制することができる。
【０１５１】
［４．効果］
以上のように、本実施の形態に係る発電スイッチ１０は、少なくとも一部がＺ軸方向に向かって回動するアーム部４０と、アーム部４０の回動によって電力を発生する発電装置１００と、を備える。発電装置１００は、アーム部４０の回動によってＺ軸方向に移動し、Ｘ軸方向に延びる磁石６０を有する磁石保持部５０と、磁石６０よりもＹ軸マイナス方向に位置するホルダ部２１ｄと、磁石６０に吸引される状態と吸引される状態から開放される状態とをとる自由端部２４ｂと、ホルダ部２１ｄに固定される固定端部２４ａとを有し、自由端部２４ｂが自由振動することで電力を発生させる板状の発電部２４と、を備える。そして、磁石保持部５０は、アーム部４０に回動可能に保持されている。
【０１５２】
これにより、アーム部４０は、発電スイッチ１０が押下されることでＺ軸方向に向かって回動する。例えば、アーム部４０に加えられた圧力に偏りがある場合、アーム部４０は傾いた状態でＺ軸方向に向かって回動する。一方、磁石保持部５０は、アーム部４０に対して回動可能に保持されているので、アーム部４０の傾きによって生じる磁石保持部５０の傾きを緩和することができる。つまり、アーム部４０が傾いたときでも磁石保持部５０は磁石６０を平行な状態を維持できるので、発電部２４と磁石６０との吸着（つまり、接触する面積）を確保することができる。よって、発電スイッチ１０は安定した発電が可能となり、操作性が向上する。
【０１５３】
また、磁石保持部５０の回動軸の方向は、固定端部２４ａと自由端部２４ｂとを結んだ方向と平行な方向である。
【０１５４】
これにより、アーム部４０が傾いたときに磁石保持部５０は固定端部２４ａと自由端部２４ｂとを結んだ方向と平行な方向を回動軸としてアーム部４０に対して回動することができる。つまり、磁石保持部５０は、発電部２４が固定端部２４ａと自由端部２４ｂとを結んだ方向と平行な方向を軸として傾くことを抑制することができる。よって、さらに発電スイッチ１０は安定した発電が可能となる。
【０１５５】
また、アーム部４０は、発電部２４の幅方向に延びる主面部４７を有し、磁石保持部５０は、主面部４７と対向して配置され、発電部２４の幅方向に延びる主面部５１ａを有する。そして、磁石保持部５０は、少なくとも一部が主面部４７から主面部５１ａに向けて突出し、かつアーム部４０の回動軸の方向に延びる回動軸部５２を有し、アーム部４０は、回動軸部５２を挿入する挿入部４８を有する。
【０１５６】
これにより、回動軸部５２を回動軸（回動中心）とすることで、磁石保持部５０を容易に回動させることができる。よって、さらに発電スイッチ１０の操作性が向上する。
【０１５７】
また、アーム部４０は、発電部２４の幅方向に延びる主面部４７を有し、磁石保持部５０は、主面部４７と対向して配置され、発電部２４の幅方向に延びる主面部５１ａを有する。そして、アーム部４０は、少なくとも一部が主面部５１ａから主面部４７に向けて突出し、かつアーム部４０の回動軸の方向に延びる回動軸部５２を有し、磁石保持部５０は、回動軸部５２を挿入する挿入部４８を有する。
【０１５８】
これにより、回動軸部５２を回動軸（回動中心）とすることで、磁石保持部５０を容易に回動させることができる。よって、さらに発電スイッチ１０の操作性が向上する。
【０１５９】
また、挿入部４８は、挿入部４８内で回動軸部５２をＺ軸方向に移動可能に形成されている。
【０１６０】
これにより、挿入部４８と回動軸部５２との接触部分を少なくすることができるので、回動軸部５２がアーム部４０に対して回動するときに回動軸部５２に加わる摩擦による抵抗力を抑制することできる。つまり、回動軸部５２の損傷を抑制でき、かつ回動軸部５２がアーム部４０の傾きに追従することを抑制することができる。よって、さらに発電スイッチ１０の操作性が向上する。
【０１６１】
また、回動軸部５２は、発電部２４の幅方向から見たときに、挿入部４８側の端部が切り欠かれた切欠部５２ａを有する。
【０１６２】
これにより、回動軸部５２を挿入部４８に挿入する際に挿入しやすくなるので、回動軸部５２を挿入部４８に挿入するときの作業性が向上する。
【０１６３】
また、アーム部４０は、第１の凸部２２に軸支される端部４０ａと、Ｚ軸方向へ向かって回動することでＺ軸方向に移動する端部４０ｂとを有する。
【０１６４】
これにより、発電スイッチ１０は、アーム部４０が回動することで発電部２４を撓ませ発電させる発電スイッチにも適用可能である。
【０１６５】
また、発電部２４は、２つの圧電素子２４ｅ及び２４ｆと金属板２４ｄとを備える。そして、圧電素子２４ｅ及び２４ｆは、金属板２４ｄを挟むように配置されている。
【０１６６】
これにより、発電部２４が自由振動することで発電する電力を圧電素子が１つである場合より高くすることができる。
【０１６７】
（その他の実施の形態）
以上、実施の態様に係る発電スイッチ１０について、実施の形態に基づいて説明したが、本開示は、この実施の形態に限定されない。
【０１６８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６９】
例えば、上記実施の形態では、発電スイッチ１０が操作されると、照明装置がＯＮされる例について説明したが、発電スイッチ１０が操作されることで制御される電気機器は１つに限定されない。制御装置において発電スイッチ１０の識別情報に対して、制御する電気機器を複数設定してもよい。例えば、制御装置は、発電スイッチ１０の識別情報と、照明装置をＯＮする制御及び電動カーテンを開ける制御を対応付けて記憶していてもよい。これにより、発電スイッチ１０を１回操作するだけで、照明装置及び電動カーテンなどの複数の電気機器を制御できる。
【０１７０】
また、上記実施の形態では、発電スイッチ１０は、操作されるたびに所定の信号を送信する例について説明したが、発電スイッチ１０の動作は信号を送信することに限定されない。例えば、発電スイッチ１０は操作されるたびに発光する又は音を発するなどの動作を行ってもよいし、その他の動作を行ってもよい。つまり、発電スイッチ１０が操作されることにより発生した電力の使用用途は特に限定されない。
【０１７１】
また、上記実施の形態では、発電スイッチ１０は持ち運び可能なスイッチである例について説明したが、これに限定されない。例えば、発電スイッチ１０は、壁スイッチなどの造営材に固定されるスイッチに用いられてもよい。
【０１７２】
また、上記実施の形態では、発電スイッチ１０の平面視形状は、４隅がＲ形状の略矩形状である例について説明したが、発電スイッチ１０の平面視形状はこれに限定されない。発電スイッチ１０の平面視形状は、略三角形、略台形及び略長円形であってもよいし、その他の形状であってもよい。これにより、複数のユーザがそれぞれ発電スイッチ１０を使用する場合、ユーザごとに発電スイッチ１０の形状を変更して使用できるなど、発電スイッチ１０の利便性を向上させることができる。
【０１７３】
また、上記実施の形態では、アーム部４０はボタン部１１が押下されることで第１の凸部２２を回動軸として回動する例について説明したが、アーム部４０は回動することに限定されない。例えば、アーム部４０はボタン部１１が押下された向きと平行な向きに移動してもよい。上記実施の形態の例であれば、アーム部４０はボタン部１１が押下されることで、Ｚ軸マイナス方向に押し下げられてもよい。なお、アーム部４０がＺ軸方向へ移動するとは、アーム部４０が上記実施の形態で説明したようにＺ軸の方向に向かって回動すること、及び、アーム部４０がＺ軸と平行な方向に略平行に押し下げられることを含む意図である。
【０１７４】
また、上記実施の形態では、発電部２４は一端部（具体的には、固定端部２４ａ）がホルダ部２１ｄに固定されている例について説明したが、発電部２４が固定される位置は自由端部２４ｂが自由振動により所望の電力を発生させることができれば、特に限定されない。例えば、発電部２４はＹ軸方向における中央部の位置でホルダ部２１ｄに固定されてもよい。この場合、発電部２４の中央部は、ホルダ部２１ｄに固定される固定部の一例である。なお、発電部２４は、その他の位置で固定されてもよい。
【０１７５】
また、上記実施の形態では、発電部２４の平面視形状は略矩形状である例について説明したが、これに限定されない。発電部２４は自由端部２４ｂが自由振動により所望の電力を発生させることができれば、形状は特に限定されない。例えば、発電部２４は、自由端部２４ｂの幅が固定端部２４ａの幅より小さくてもよい。つまり、発電部２４の平面視形状は略台形形状であってもよいし、その他の形状であってもよい。なお、この場合、固定端部２４ａと自由端部２４ｂとを結ぶ方向とは、例えば、固定端部２４ａにおけるＸ軸方向の中央部と自由端部２４ｂにおけるＸ軸方向の中央部とを結んだ方向である。
【０１７６】
また、上記実施の形態では、振動発生部３０において磁石保持部５０がアーム部４０に回動可能に保持されている例について説明したが、これに限定されない。例えば、レバー部７０がボタン部１１により押し下げられることで回動する移動部と、回動することによりアーム部４０を押し下げる押下部とを有しており、押下部が移動部に回動可能に保持されていてもよい。これにより、ボタン部１１の固定端部２４ａ側が押下された場合でも、平行な状態を維持したまま磁石６０を押し下げることができる。
【０１７７】
また、上記実施の形態では、発電部２４は磁性体板２５を有する例について説明したが、これに限定されない。例えば、金属板２４ｄが磁性金属材料によって形成されている場合、金属板２４ｄが磁性体板２５を兼ねることができるので、発電部２４は磁性体板２５を有していなくてもよい。これにより、発電部２４の部品点数を削減できる。
【０１７８】
また、上記実施の形態では、磁石保持部５０が磁石６０を保持し、発電部２４に磁性体板２５が配置されている例について説明したが、これに限定されない。例えば、発電部２４に磁石６０が配置されており、磁石保持部５０が磁性体板２５を保持していてもよい。例えば、磁石６０は、発電部２４の錘を兼ねて配置されていてもよい。この場合、磁性体板２５を有する磁石保持部５０は、吸引部の一例である。
【０１７９】
その他、実施の形態に対して当業者が思いつく各種変形を施して得られる形態、又は、本開示の趣旨を逸脱しない範囲で実施の形態における構成要素及び機能を任意に組み合わせることで実現される形態も本開示に含まれる。
【産業上の利用可能性】
【０１８０】
本開示に係る発電スイッチは、発電装置を含むスイッチに利用でき、持ち運び可能な発電スイッチなどに有用である。
【符号の説明】
【０１８１】
１０    発電スイッチ
１１    ボタン部
１１ａ    上面部
１１ｂ、１２ｂ、９２    側面部
１２    ケース部
１２ａ    底面部
１３、１３ａ、１３ｂ    ネジ
２０    発電ユニット
２１    保持部
２１ａ、２１ｃ、２４ｃ、２７ａ、２７ｂ、２７ｃ    ネジ穴
２１ｄ    ホルダ部
２２、４６    第１の凸部
２３    第２の凸部
２４    発電部
２４ａ    固定端部
２４ｂ    自由端部
２４ｄ    金属板
２４ｅ、２４ｆ    圧電素子
２４ｇ、２４ｉ    電極
２４ｈ    圧電体
２５    磁性体板
２６    信号発信部
２６ａ    基板
２６ｂ    シールドケース
２７    剛板
２８    ネジ用ホルダ部
３０    振動発生部
４０    アーム部（移動部）
４０ａ    端部（第１の端部）
４０ｂ    端部（第２の端部）
４１ａ、４１ｂ、７１ａ、７１ｂ    アーム
４２    接続部
４３、７４    第１の開口部
４４、７５    第２の開口部
４５    第３の開口部
４７    主面部（第１の主面部）
４８    挿入部
４８ａ    爪部
４８ｂ    側方壁部
４８ｃ    上方壁部
５０    磁石保持部（吸引部）
５１    本体部
５１ａ    主面部（第２の主面部）
５１ｂ    立設部
５２ａ    切欠部
５２ｂ、７６    凸部
５２    回動軸部
５３    保持部
５３ａ、９２ａ    爪部
６０    磁石（吸引部）
７０    レバー部
７２    第１の接続部
７３    第２の接続部
７７    湾曲部
８０    カバー部
８１    開口部
９０    ボタン下部
９１    天板
１００    発電装置
【図１】
2019064839.tif 000003
【図２】
2019064839.tif 000004
【図３】
2019064839.tif 000005
【図４】
2019064839.tif 000006
【図５】
2019064839.tif 000007
【図６】
2019064839.tif 000008
【図７】
2019064839.tif 000009
【図８】
2019064839.tif 000010
【図９】
2019064839.tif 000011
【図１０】
2019064839.tif 000012
【図１１】
2019064839.tif 000013
【図１２】
2019064839.tif 000014
【図１３】
2019064839.tif 000015
【国際調査報告】
2019064839.tif 000016
2019064839.tif 000017
2019064839.tif 000018
2019064839.tif 000019